(57)【特許請求の範囲】
【請求項１】
ブラシ毛が植毛されたヘッド部と、把柄部とにより構成された歯ブラシの清掃ブラシにあって、ヘッド部分の平面形状が把柄軸方向を短辺とし把柄軸と直角方向を長辺とする略矩形、又は略正方形であり、かつ把柄軸方向の毛束の配列数が２−４であり、配列された毛束群がヘッド部の把柄軸方向中央に部分的に植毛されている事を特徴とする歯ブラシの清掃ブラシ。
【請求項２】
請求項１に記載した歯ブラシの清掃ブラシにあって、植毛面の把柄軸方向両端にブラシ毛のない平面が設けられている事を特徴とする請求項１に記載した歯ブラシの清掃ブラシ。
【発明の詳細な説明】
【技術分野】
【０００１】
本発明は、使用後の歯ブラシに付着した歯垢を掻き出す歯ブラシの清掃ブラシに関する。
【背景技術】
【０００２】
歯ブラシのついては、古くから日常生活に不可欠なツールとして普及している他、歯に付着した歯垢等の清掃効率や使い易さを求めて、次々と新案も報告されている。
【０００３】
特許文献１は、歯に付着した歯垢除去と歯肉マッサージ効果の向上を目的とした、ヘッド部の毛束の断面形状に関するものである。
特許文献２は、歯全体の隅まで磨きやすくすることを目的として、ヘッド部を把柄軸に対してＴ字形に構成したものである。
一方、使用後の歯ブラシの清掃において、通常はコップの中でゆすぐ、或いは流水で洗い流す程度であるが、ヘッド部のブラシ毛の間にはさまった食べかすや歯垢を十分には除去できないため不衛生である。この場合、もう一本の歯ブラシを使用し、互いのブラシ面を対向させ、流水中でブラッシングすると、食べかすはある程度取り除くことができる。
しかしながら同等の２本の歯ブラシのブラシ毛を互いに擦り合わせる時、お互いの植毛面にまでは毛先が届かず、特にブラシ毛の奥に挟まった歯垢を取り除くことは困難である。歯垢には雑菌が繁殖しやすく衛生上問題である。
【先行技術文献】
【特許文献】
【０００４】
【特許文献１】特開２０００−１１９号公報
【特許文献２】第３０１１８６６号  実用新案公報
【発明の開示】
【発明が解決しようとする課題】
【０００５】
使用後の歯ブラシは、ヘッド部のブラシ毛の間に食べかすや歯垢等が挟まり雑菌の温床になりやすい。効率的に清掃できる専用の清掃ブラシが不可欠と考えられる。
【課題を解決するための手段】
【０００６】
請求項１の発明は、歯ブラシと同様、ブラシ毛が植毛されたヘッド部と、把柄部とにより構成され、ブラシ毛の高さが通常の歯ブラシのブラシ毛の高さより高い１０ｍｍ超である、歯ブラシの清掃を目的とする事を特徴とする歯ブラシの清掃ブラシである。これにより清掃ブラシの先端が被清掃歯ブラシの植毛面まで届き、歯垢を効果的に掻き出すことができる。
【０００７】
請求項２の発明は、歯ブラシと同様、ブラシ毛が植毛されたヘッド部と、把柄部とにより構成され、ブラシ毛の硬度がＪＩＳ規格の歯ブラシのブラシ毛の硬度表示のかためと同等以上である歯ブラシの清掃を目的とする事を特徴とする歯ブラシの清掃ブラシである。清掃ブラシの植毛面を被清掃歯ブラシの植毛面に対向させ互いにブラッシュングするとき、ブラシ毛の硬度において被清掃ブラシのブラシ毛の硬度と同等以上の清掃ブラシのブラシ毛が被清掃ブラシのブラシ毛をなびかせ、清掃ブラシの先端が被清掃歯ブラシの植毛面まで届き、歯垢を効果的に掻き出すことができる。
【０００８】
請求項３の発明は、歯ブラシと同様、ブラシ毛が植毛されたヘッド部と、把柄部とにより構成され、ヘッド部分の毛束の配列において、把柄軸方向の配列数が５以下である、歯ブラシの清掃を目的とする事を特徴とする歯ブラシの清掃ブラシである。
清掃ブラシの植毛面を被清掃歯ブラシの植毛面に対向させ互いにブラッシュングするとき、清掃ブラシの把柄軸を被清掃歯ブラシの把柄軸に略直交させた方が、手首に負担がかかりにくい。即ち、歯ブラシの長辺に直交するように清掃歯ブラシを往復しブラッシングする。この時、清掃ブラシの把柄方向の毛束の配列数がおおいと歯ブラシのブラシ毛と清掃ブラシのブラシ毛とが互いに干渉し清掃ブラシのブラシ毛が歯ブラシのブラシ毛の奥まで入りにくい。上記観点からは清掃ブラシの把柄方向の毛束の配列数は基本的に少ない方がよく、５列を超えると清掃が難しくなる。ただし、一列だと腰折れしやすくなるので２−４列が実用的である。
【０００９】
請求項４の発明は、歯ブラシと同様、ブラシ毛が植毛されたヘッド部と、把柄部とにより構成され、ヘッド部分の平面形状が把柄軸方向を短辺、把柄軸と直角方向を長辺とする略矩形、又は略正方形であり、清掃を目的とする事を特徴とする歯ブラシの清掃ブラシである。尚、矩形を略矩形又正方形を略正方形と記述したのは、幾何学的に正確な矩形又は正方形でなく、例えば４つの角を丸める或いは矩形又は正方形に近い台形を含むことを意味している。
ヘッド部の平面形状を略矩形或いは略正方形とし、清掃ブラシの把柄軸と直交する辺の長さを長くすることにより、清掃ブラシの把柄軸と直交する毛束の配列数を増やすことができる。清掃ブラシの把柄軸を被清掃歯ブラシの把柄軸に略直交させてかつ互いのブラシ部を噛み合わせブラッシュングするとき、一度に互いに噛み合うブラシ部の長さが長くなり、清掃時間を短縮できる。
【００１０】
請求項５の発明は歯ブラシと同様、ブラシ毛が植毛されたヘッド部と、把柄部とにより構成され、ヘッド部分の平面形状が把柄軸方向を短辺、把柄軸と直角方向を長辺とする略矩形、又は略正方形であり、かつ把柄軸方向の毛束の配列数が５以下である歯ブラシの清掃を目的とする事を特徴とする歯ブラシの清掃ブラシである。
請求項４にて記載したヘッド部分が矩形又は略正方形の清掃ブラシにおいて把柄軸方向の毛束の配列は、請求項２に記載したように２−４程度が望ましい。又、把柄軸と直角方向の毛束の間隔は被清掃歯ブラシの毛束の間隔と同じであることが望ましい。一方、把柄軸方向の毛束の間隔は、被清掃歯ブラシの毛束の間隔と同じである必要はなく、寧ろ広めの方がのぞましい。ヘッド部の平面形状が正方形或いは正方形に近い矩形の場合、把柄軸方向の中央に２−４列植毛してもよい。この場合、ブラシ毛がない両側の植毛面は、ブラシングする時のガイド面となり作業性が向上する。
【００１１】
請求項６の発明は、歯ブラシと同様、ブラシ毛が植毛されたヘッド部と、把柄部とにより構成され、ヘッド部分の平面形状が把柄軸方向を短辺、把柄軸と直角方向を長辺とする略矩形、又は略正方形であり、かつ把柄軸方向の毛束の配列数が５以下である歯ブラシの清掃を目的とする事を特徴とする請求項１から請求項２に記載した歯ブラシの清掃ブラシである。
請求項５の説明で記載した効果に加えて、請求項１の説明で記載した効果又は請求項２の説明で記載した効果を併せ持つ。勿論、前記の全ての構成要素を含む場合が、ベストな構成であり最も効率的に清掃できるが、請求項５に記載した構成に加え、ブラシ毛の特性として請求項１記載した条件又は請求項２に記載した条件のいずれか一つを含んでいれば相応の効果がえられる。
【発明の効果】
【００１２】
不衛生になりがちな使用後の歯ブラシを効率的に清掃できる。
【発明を実施するための形態】
【００１３】
本発明の実施例１の使用説明図を図１に、実施例１の平面図を図２に、実施例１の正面図を図３に、実施例２の使用説明図を図４に、実施例２の平面図を図５に、実施例２の正面図を図６に示す。
【００１４】
本発明の実施例１について、図１から３を使って以下に詳述する。
図１は、実施例１の使用説明図である。図に示したように清掃用ブラシ７のブラシ面（Ｂ）９を被清掃する歯ブラシ１のブラシ面（Ａ）４に対向させ、かつ互いの把柄軸を概略直交させ、互いのブラシ毛を噛み合わせながら清掃ブラシ７を移動方向１３へ往復させ歯ブラシ１のブラシ毛の間に挟まっている歯垢等を取り除く。この作業は、原則流水中で行う
尚、歯ブラシ１の把柄軸と清掃ブラシ７の把柄軸を並行に保ってブラッシングすることも可能ではあるが、実際には直交させた方が格段に作業しやすい。
【００１５】
前記歯ブラシ１の清掃は、通常の歯ブラシ２本にて行っても相応の効果を得ることができる。しかしながら、実際に試行してみると、特に歯ブラシの毛束（Ａ）５の奥の方にある歯垢が取りきれない。このため長い間には植毛面（Ａ）６の近傍が茶色に変色してくる等の問題があることが分かった。
図２は、実施例１の平面図、図３は実施例１の正面図である。本発明にかかわる清掃ブラシ７は、通常の歯ブラシ１と同様、ヘッド部（Ｂ）８と把柄（Ｂ）１２からなり、ヘッド部（Ｂ）８の植毛面（Ｂ）１１に毛束（Ｂ）１０が植毛されている。
【００１６】
本発明による清掃ブラシ７と通常の歯ブラシ１の相違点を以下に記述する。
図２に示す様に清掃ブラシ７の毛束（Ｂ）１０の数は通常の歯ブラシに比べて少ない。一般的な大人用の歯ブラシ１の毛束（Ａ）５の配列数は長手方向に１０列、幅方向に５列程度である。また、１本の毛束（Ａ）５は、２０から４０本のブラシ毛が径約１ｍｍに束ねられている。これに対して本発明における清掃ブラシ７における毛束（Ｂ）１０の配列数は４行４列程度ある。歯ブラシ１のブラシ面（Ａ）４と清掃ブラシ７のブラシ面（Ｂ）８を対向させてブラッシングするとき、両者の毛束、言い換えるとブラシ毛の総数が多すぎるとうまくかみ合わず、毛先のみが清掃される。
又、一本の毛束（Ｂ）１０のブラシ毛の数は通常の歯ブラシ１の半分程度が更に望ましい。言い換えれば清掃ブラシ７のブラシ毛の密度は、通常の歯ブラシの三分の一程度が望ましい。
【００１７】
図３に示す毛束（Ｂ）１０の高さＨは、通常の歯ブラシの毛束（Ａ）５の高さが８から１０ｍｍ程度であるのに対して１２ｍｍとした。これにより、清掃ブラシ７の毛束（Ｂ）１０の先端が、被清掃歯ブラシ１の毛束（Ａ）５の奥まで届き、被清掃歯ブラシ１の植毛面（Ａ）６の近くに溜まりやすい歯垢を掻き出しやすくなる。基本的に毛束（Ｂ）１０の高さＨは、被清掃歯ブラシの毛束（Ａ）５の高さより高いことが望ましく、少なくとも１０ｍｍ以上となる。
【００１８】
清掃ブラシ７のブラシ毛の硬度は、被清掃歯ブラシ１のブラシ毛よりも硬いことが望ましい。一般的に歯ブラシ１のブラシ毛の硬度は、ＪＩＳにて規格化されている。この規格にて測定され、やわらかめ、普通、かためのいずれかの表示が義務づけられている。清掃ブラシ７のブラシ毛の硬さは、被清掃歯ブラシのブラシ毛の硬さより硬い方が歯ブラシ１のブラシ毛をなめらかに湾曲させながら梳くことができる。このため、清掃ブラシのブラシ毛の硬度は、少なくとも歯ブラシのＪＩＳ規格で規定、表示されるかためのブラシ毛と同等以上の硬さであることが望ましい。
【００１９】
図４は、実施例２の使用説明図である。本発明における清掃ブラシ７のヘッド部（Ｂ）８の平面形状は略矩形或いは略正方形である。略矩形の場合は、長辺方向の軸が把柄（Ｂ）１２の軸と直交している。使い方は、清掃用ブラシ７の把柄軸を被清掃歯ブラシ１の把柄軸と直交させ、互いのブラシ面を対向、噛み合わせ、清掃ブラシ７を図中の移動方向１３へ往復させ歯ブラシ１をブラッシングする。これにより歯ブラシ１の毛束（Ｂ）１０及び複数の毛束（Ｂ）１０の間に挟まっている歯垢等を取り除くことができる。この作業は、原則流水中で行う。
【００２０】
図５に実施例２の清掃ブラシの平面図を示している。ヘッド部（Ｂ）８の長辺Ｌは、被清掃歯ブラシ１の長辺Ｌと同等以上が望ましく，短辺Ｗは長辺Ｌの三分の１以上であればよい。
長辺方向の毛束の配列のピッチは被清掃歯ブラシのピッチと同等であることが望ましい。即ち、清掃ブラシは被清掃歯ブラシと一対で製作し両者の毛束間ピッチを同じにすることが最ものぞましい。ただし、標準的な歯ブラシにおいて、毛束の径は１ｍｍ程度、毛束のピッチは２mm程度である。このため、標準の清掃ブラシの毛束のピッチは２ｍｍとし、せまめで１．５ｍｍ、ひろめで２．５ｍｍの清掃ブラシの３種類程度を用意すればほとんどの歯ブラシに対応できると思われる。又、把柄軸と直角方向の配列数は、被清掃歯ブラシの把柄軸方向の配列数以上であることが望ましい。歯ブラシの配列数は小型で５列、標準で８−１０列である。このため標準的な清掃ブラシの横方向の配列数は１０から１２程度であることが望ましい。上記により歯ブラシの１のブラシ面（Ａ）４の全長にわたって清掃ブラシ７のブラシ面（Ｂ）９を噛み合わせることができ、効率よくブラッシングできる。
【００２１】
次に把柄軸方向の配列について説明する。
把柄軸方向の毛束の配列数は、実施例１で説明したように２―４列程度が望ましい。
又、図５に示す実施例２のヘッド部の平面形状は、略矩形であるが、略正方形であっても問題ない。配列数において、略正方形の植毛面の把柄軸方向を縦、把柄軸と直角方向を横と規定すると、縦の配列数は、中央に２−４列或いは、両サイドに一列ずつの２列或いは、両サイドに一列ずつと中央に一列の３列でも良い。ただし総配列数は５列以下が望ましい。
【００２２】
毛束およびブラシ毛の高さおよび硬度については、実施例１と同様である。
尚、清掃作業は、基本的には清掃ブラシで歯ブラシを外側から内側にブラッシングする。このため歯ブラシの毛先を内側に矯正する２次的効果があり、毛先が外側に開きにくくなる。この結果、歯ブラシの寿命が長くなる。
【産業上の利用可能性】
【００２３】
不衛生になりがちな使用後歯ブラシを効率的に清掃できる歯ブラシの専用の清掃ブラシを提供できる。
【図面の簡単な説明】
【００２４】
【図１】実施例１の使用説明図である。
【図２】実施例１の清掃ブラシの平面図である。
【図３】実施例１の清掃ブラシの正面図である。
【図４】実施例２の使用説明図である。
【図５】実施例２の清掃ブラシの平面図である。
【図６】実施例２の清掃ブラシの正面図である。
【符号の説明】
【００２５】
１      歯ブラシ  
２      ヘッド部（Ａ）  
３      把柄（Ａ）  
４      ブラシ面（Ａ）  
５      毛束（Ａ）  
６      植毛面（Ａ）  
７      清掃ブラシ  
８      ヘッド部（Ｂ）  
９      ブラシ面（Ｂ）  
１０    毛束（Ｂ）
１１    植毛面（Ｂ）  
１２    把柄（Ｂ）  
１３    移動方向  
Ｈ      ブラシ毛の高さ
Ｌ      ヘッド部の長辺
Ｗ    短辺  
【要約】
【課題】
使用後歯ブラシは毛束や毛束の間に食べかすや歯垢等が挟まり雑菌の温床になりやすい。２本の歯ブラシを使って互いにブラッシングしても特に植毛面近傍の歯垢は清掃しにくい。
【解決手段】
通常の歯ブラシに比べ、ブラシ毛の高さが高い１０ｍｍ超であり、硬さが硬く、密度が低い清掃専用のブラシにて、歯ブラシの植毛面近傍の歯垢も掻き出しやすくした。更にヘッド部を矩形或いは正方形とし、把柄と直交させ作業性を向上させた。
【選択図】図４【図１】
0005466330.tif 000002
【図２】
0005466330.tif 000003
【図３】
0005466330.tif 000004
【図４】
0005466330.tif 000005
【図５】
0005466330.tif 000006
【図６】
0005466330.tif 000007